(57)【要約】【課題】  一酸化炭素および窒素酸化物、アンモニア、アルデヒド類、カルボン酸などを常温で分解し除去するための触媒、およびその担持方法を提供することである。【解決手段】  塩化パラジウムおよび硫酸銅よりなる溶液に、多孔質素材を浸漬し、焼成によりパラジウムおよび銅を担持することで製造することを特徴とする触媒。【選択図】図２
2020040057.tif 000002
【特許請求の範囲】
【請求項１】
多孔質素材に、パラジウムおよび銅を担持させた素材であって、一酸化炭素、窒素酸化物、アンモニア、アルデヒド類、およびカルボン酸の除去を、常温で行なうことを特徴とする触媒、
【請求項２】
パラジウムおよび銅が重量比で１：０．６〜１．０、好ましくは１：０．６５であることを特徴とする、請求項１に記載の触媒、
【請求項３】
多孔質素材が活性炭あるいは活性炭素繊維、あるいはゼオライト、シリカゲルなどであり、これらにパラジウム塩および銅塩の水溶液を３〜１２時間含浸させ、脱水し、無酸素雰囲気中、４００〜６００℃で加熱する手順で製造することを特徴とする、請求項１および２のそれぞれに記載の触媒の製造方法、
【発明の詳細な説明】
【技術分野】
【０００１】  本発明は、室温で一酸化炭素および窒素酸化物、アンモニア、アルデヒド類、カルボン酸などを分解し除去するための触媒およびその担持方法に関する。
【背景技術】
【０００２】  有機化合物が大気中で燃焼すると、炭素（Ｃ）は酸素（Ｏ２）と結合して二酸化炭素（ＣＯ２）となり、排出されるが、酸素が不足している時には、不完全燃焼して、一酸化炭素（ＣＯ）も発生する。この現象は、物が燃焼する際には部分的に酸素が不足する場合があるので、ＣＯは経常的に発生するのが普通である。
例えば、喫煙時に煙草が燃焼する場合には、煙草の燃焼むらが生じるために、ＣＯが常に発生している。高等生物にとっては、ＣＯが一定の濃度以上に存在すると、通常の酸素分圧下では酸素を結合できず窒息する危険がある。これは血液中の赤血球に３４％も含まれるヘモグロビン（Ｈｂ）の働きによる。
代謝によって有機物が分解され、ＣＯ２はその産物として生成される。ヘモグロビンは、酸素分圧が低い組織中で酸素を解離し、一方ＣＯ２はヘモグロビンの他の部位に結合し、今度は肺において排出される。
しかし、大気中にＣＯがあると、十分な酸素があるにも拘わらず、ヘモグロビンが優先的にＣＯと結合するため、酸素を利用することが出来なくなる。一定濃度以上のＣＯがあると酸欠状態となるのはヘモグロビンのこのような働きのためである。平衡定数は酸素の３２５倍であることが知られている。このＣＯが大気中に０．０１％以上あると極めて危険な状態となり、重篤なＣＯ中毒症状を示すか、死に至る。
ＣＯの有害性はこのような呼吸の阻害から虚血性心疾患、末梢動脈疾患、慢性呼吸器疾患、さらに妊娠時の胎児への影響が考えられる。また、突然死、老化、痴呆などの症状にも大きく関係していると言われている。【０００３】  一酸化炭素や窒素酸化物を分解する触媒として、排気ガス処理に用いられる三元触媒がある。プラチナ、パラジウム、およびロジウムからなる触媒であるが、常温ではほとんど効果がない。通常、触媒反応は適正温度帯があり、本法の対象とする有害ガスのひとつ（一酸化炭素）には数百℃程度の加温が必要である。常温での触媒作用が実現出来ればさらに汎用性が広まる。
多孔質素材などに担持した触媒は、カラム（一定の通過装置内に触媒を充填するもの）の形式を採らざるを得ず、この場合にはガスの通過速度、濃度、圧損などが触媒能力の大きな要素となる。効果的なガス分解には、通過速度を下げ、ゆっくり反応させる必要がある。しかし、実用上は処理時間を短縮する必要があり、ガスの通過速度を上げると、活性炭細孔まで拡散されにくく、担持した活性炭の表面に局在する触媒のみが優先的に働く傾向があるため、触媒効率は著しく低くなってしまう。これを解決するため、従来は触媒を金属表面に添着し、ハニカム構造となし、通過速度を上げて処理効率の良くする工夫がなされて来た。しかしこの構造では装置が大きくならざるを得ず、汎用性が小さいという欠点があった。【０００４】  これらの問題点を解決するため、近年はナノテクノロジーの進展が著しく、担持が容易な溶液として、貴金属触媒ナノコロイド溶液が開発されている。常温で反応性が良く、かつ何にでも担持できるナノコロイド溶液はこれまでの担持方法と比べ、利点が大きい。しかし、製造も含め、工程が多く、かつ高価である。特別な用途には最適であっても、一般的なフィルターとして用いるには価格の点で汎用性が薄い。光触媒も同様の傾向があり、一般に高価である。
【発明の開示】
【発明が解決しようとする課題】
【０００５】  本発明の目的は、低コストで入手でき、常温で有害ガスを除去する、汎用性の高い触媒を提供することである。有害ガスの対象は、一酸化炭素（ＣＯ）、酸化窒素（ＮＯおよびＮＯ２）、アルデヒド類、カルボン酸（酢酸など）、アンモニアなどである。
【課題を解決するための手段】
【０００６】  本発明者は、上記目的を達成すべく鋭意研究を重ねた結果、活性炭もしくは活性炭素繊維にパラジウムと銅を担持することにより、上記の問題を解決できるとの知見を得た。
これは、歯科で用いられている歯冠を、硝酸で溶解させた液に活性炭を浸漬して製造した触媒が、有毒ガスに常温で効果的に分解することを見出したことに起因する。歯冠の成分は金、パラジウム、銀、および銅から成り、それぞれ１２〜１５％、２０〜１５％、５１〜３５％、１４．５〜１８％の重量比である。このうち金は硝酸で溶解しないため、パラジウム、銀、および銅が硝酸で溶解した液中に存在し、これらが触媒成分であった。これらから実際に有効だったのは、パラジウムおよび銅成分であった。
本発明は、この知見に基づいて、
１．多孔質素材に、パラジウムおよび銅を担持させた素材であって、一酸化炭素、窒素酸化物、アンモニア、アルデヒド類、およびカルボン酸の除去を、常温で行なうことを特徴とする触媒、
２．パラジウムおよび銅が重量比で１：０．６〜１．０、好ましくは１：０．６５であることを特徴とする、１に記載の触媒、
３．多孔質素材が活性炭あるいは活性炭素繊維、あるいはゼオライト、シリカゲルなどであり、これらにパラジウム塩および銅塩の水溶液を３〜１２時間含浸させ、脱水し、無酸素雰囲気中、４００〜６００℃で加熱する手順で製造することを特徴とする、１および２のそれぞれに記載の触媒の製造方法、
を提供するものである。【０００７】  本発明は、次の点で従来技法とは異なる特徴を持つ。
１．繰り返し使用が可能である（触媒の被毒が無い事が前提である。つまり、ガス中に沈着する粒子が混入していないこと。）。吸着剤とは異なり、触媒を用いていることである。
２．貴金属系触媒の場合、高温で高能力が普通であるが（排気ガスの三元触媒など）、本    法では常温で同程度の活性があることである。
３．金属ナノコロイド（金、白金、パラジウム、銀など）と比べても遜色ない活性があること。
４．貴金属触媒、すなわちパラジウムの使用量が少なく、経済的であること。
５．加工が簡単である（触媒担持の工程が簡単である）こと。
【発明を実施するための形態】
【０００８】  次に、本発明の実施例及び比較例について説明する。なお、以下に示す実施例は、本発明の理解を容易にするためのものであって、本発明はこれらの実施例に制限されるものではない。すなわち、本発明の技術思想に基づく、他の例又は変形は、当然本発明に包含されるものである。
【実施例１】
【０００９】歯冠を溶解した液を用いた触媒の製造
パラジウムは単独でも、他の貴金属あるいは卑金属との組み合せでも、様々なガスを分解する機能を持つ触媒として知られており、幅広く利用されて来た。本発明者は歯科医から入手した歯冠中に含まれるパラジウムを利用して、有毒ガスを分解可能な触媒を形成出来るかを検討した。歯冠にはパラジウム１５％、銀３５％、銅１８％、金１５％が含まれている。
歯冠１．８４ｇをビーカーに入れ、１ＮのＮａＯＨで約３０分処理し、除タンパク質を行なった。洗浄後、濃硝酸を５０ｍＬ入れ、歯冠が溶解するまで攪拌した（約一夜）。
溶液は赤色になり、パラジウムが溶解していることが推測された。パラジウムはヨウ化カリウムで検出できるので、１０％ヨウ化カリウム溶液２００μＬに歯冠を溶解した硝酸溶液１０μＬを添加すると赤く発色し、パラジウムが存在することが確認できた。さらに、２５％アンモニア溶液１００μＬに歯冠を溶解した硝酸溶液１０μＬ添加すると、青く発色し、銅が存在することが判った。
歯冠を溶解した硝酸溶液１００μＬに濃塩酸１００μＬを添加し、遠心後、沈殿に２５％アンモニア溶液１００μＬを添加したところ、沈殿は溶解し、銀であることが判った。歯冠を溶解した硝酸溶液中の銀は、塩酸で沈殿しＡｇＣｌ２となり、これはアンモニアで溶解するからである。以上から、硝酸で溶解した画分には、パラジウム、銀、および銅が含まれていることが判明した。
一方、硝酸で溶けずに残留しているものがあったが、これは金であると思われた。
次に、歯冠を濃塩酸で溶解を試みた。歯冠１．８１５３ｇに濃塩酸５０ｍＬを添加し、一夜撹拌した。溶液は黄色に変色した。この遠心上清にはパラジウムと銅が含まれおり、銀は含まれていないことが判った。硝酸で溶解した時と同様、沈殿には金が含まれており、金および銀は沈殿画分にあることが判った。
活性炭３０ｇを硝酸溶解画分（パラジウム、銀、銅）および、同量の活性炭を塩酸溶解画分に浸漬し、それぞれ一夜放置した。これをろ過し、活性炭を回収し、石英容器に移した。容器に蓋をし、マッフル炉で、嫌気的条件下４５０℃で６時間焼成した。
【実施例２】
【００１０】硝酸および塩酸による歯冠溶解液のＣＯ分解活性
歯冠を硝酸または塩酸で溶解した液で製造したそれぞれの触媒（実施例１）について、タバコ煙に含まれるＣＯを測定し、触媒活性があるかどうかを検討した。
ＣＯは煙草煙に含まれるものを測定したが、煙草煙中には高濃度のＣＯが含まれるからである。煙草煙は、紙巻き煙草に火を点け、使い捨て注射器（５０ｍＬ）で吸いとり、別な密閉袋に数度に分けて回収した。注射器内部には脱脂綿が詰めてあり、煙草の個体成分であるタール分はこの脱脂綿に吸着され、密閉袋に移す際にガス成分だけが袋に回収される。タール分の含む煙草煙をそのまま用いると触媒表面を被ってしまい、触媒活性が阻害される恐れがあるため、除去する必要があったからである。【００１１】  活性測定方法として、密閉されたガラス製のデシケーター（１．６７Ｌ）にフィルターとガスを封入し、内部に設置した小型ファンを回転して、ガスを継続的に撹拌し、一定時間毎にガス検知管によって、ガス濃度を測定することで行なった。デシケーターには本体と蓋に穴が開いているが、本体の穴は小型ファンの電源コードを通したシリコン栓で閉じ、微細な隙間はシリコン製の接着剤で埋めた。蓋の穴もコックの付いたガラス管を通したシリコン栓で閉じた。ガス封入、および採取は蓋のコックの開閉で行なった。密閉度は、蓋から出ているシリコンチューブを真空ポンプに接続し、吸引した時の内部の圧力が５０ミリトル（ｍＴｏｒｒ）以下になることで確認した。
タールを除いた煙草煙の入った密閉袋を、減圧したデシケーターに接続し、煙草煙をデシケーター内に封入した。１気圧に満たない場合には空気を入れて１気圧とした。触媒は活性炭で製造したものを不織布の袋に入れ、デシケーター内に設置した。ファンを回し、煙草煙が触媒に触れるよう循環し、一定時間毎に検知管でガスを吸引し、一酸化炭素濃度を測定した。結果は図１に示した。
触媒のいずれも、ＣＯの初期濃度が８２０ｍｇ／Ｌであったものが、急激に低下し、４分後には２００ｍｇ／Ｌとなり、約６０分後には０ｍｇ／Ｌとなった。硝酸溶解および塩酸溶解で調製した塩溶液のいずれにも差は見られなかったことから、塩酸で溶解された銅とパラジウムのみでＣＯ分解が達成されることが判明した。
［図１］
【実施例３】
【００１２】試薬による触媒の製造と活性
実施例２で明らかなようにＣＯ分解触媒の構成成分はパラジウムと銅で十分なことが判明したので、それぞれの試薬を溶解して触媒液を製造した。
触媒溶液は、１ｇの塩化パラジウム（ＩＩ）に濃塩酸１００ｍＬと、純水４００ｍＬを加え、湯煎して完全に溶解した。これを冷却した後に、硫酸銅７水和物１ｇを加え、撹拌溶解し、純水で１Ｌとした。
この溶液に活性炭を浸漬し、実施例２と同様にして触媒を製造した。
活性は実施例２と同様にして行なった。結果は図２に示した。図１と比べ、活性はより高く、歯冠溶解液中には微量の未知の金属成分が含まれているため、それらがパラジウムと銅の活性を引き下げた可能性がある。
［図２］
なお、活性炭素繊維で作られたフェルトを用いて、同様に担持した結果、この触媒にも活性炭とほぼ同等の結果が得られた。
【実施例４】
【００１３】触媒の構成の検討
次に、パラジウムと銅との最適な量比を検討した。用いたガスはタバコ煙に含まれる一酸化炭素である。実施例３で示したように、塩化パラジウム１ｇに量を変化させた硫酸銅７水和物の溶液を溶かし、それぞれを活性炭に担持し、触媒を調製した。ガスの測定は実施例２と同様にして行なった。結果は表１に示している。分解率は測定開始から１時間後のＣＯ残量を、開始時の値から引き、それを開始時の量で除して表わした。表から明らかなように、一酸化炭素の除去には（塩化パラジウム）：（硫酸銅７水和物）が重量比で１：０．６５の時に最も高い除去率を示した。
【表１】
2020040057.tif 000003
【実施例５】
【００１４】各種ガスの除去効果
パラジウムと銅を担持した触媒が、様々なガスの除去にも有効であるかどうかを次に検討した。触媒の構成は実施例４で示した（塩化パラジウム）：（硫酸銅７水和物）の重量比が１：０．６５を用い、実施例１に記載の方法で活性炭に担持し、実施例２によって測定を行なった。【００１５】［一酸化窒素（ＮＯ）および二酸化窒素（ＮＯ２）］
一酸化窒素（ＮＯ）は窒素酸化物のひとつで、高温下で窒素が酸化されて生成される。発生源はエンジン、焼却炉、ストーブなど高温になる装置からである。オキシダント（酸化物）生成の引き金になるため、一連の化学反応の結果、光化学スモッグの原因となる。一方、生体内ではガス状の神経伝達物質として機能することが知られている。狭心症の発作を抑えるニトログリセリンは体内でＮＯを発生して血管を拡張させ、発作を抑える。男性精力維持に使われるバイアグラも同様な機作で作用する。
二酸化窒素（ＮＯ２）は燃焼過程で発生する窒素の酸化物である。ＮＯがさらに酸化されたものである。生物由来のもの（タンパク質など窒素を含むもの）が燃焼することで発生する。呼吸器系への影響がある。０．０４〜０．０６ｐｐｍが基準値である。
これら二種のガスは排気ガス中に多く含まれるため、ガソリン乗用車の排気ガスを密閉袋に集め、これを用いた。デシケーター（１．４７Ｌ）を真空ポンプで脱気し、これに排気ガスを密閉袋から使い捨て注射器（５０ｍＬ）で１００ｍＬ採り封入し、残りは空気を導入して大気圧に戻した。経時的にＮＯとＮＯ２の濃度を検知管で測定した。結果は図３に示してある。
いずれも１時間で０ｍｇ／Ｌになっており、窒素酸化物は触媒によって完全分解出来ることが示された。すなわち、燃焼酸化物のうち、ＣＯ、ＮＯ、ＮＯ２が除去できることから、ほとんどの燃焼ガスの浄化に用いることが可能であることが示された。
［図３］【００１６】［アンモニア］
アンモニア（ＮＨ３）はタンパク質に含まれる窒素分が、微生物の働きなどにより還元され生じる。強い刺激臭があり、粘膜に作用し、０．１％以上の濃度で危険状態となる。特定悪臭物質のひとつに指定されている。発生源は主に生物の糞尿が集積されているような場所である。水洗でない便所や、放置されたおむつなど、介護の領域での発生が近年指摘されている。
アンモニアは、２５％アンモニア水を１００μＬ密閉袋（４Ｌ）に入れ、エアポンプで空気を３Ｌ入れて膨らまし、常温で気化させたものを用いた。袋をＮＯおよびＮＯ２と同様に陰圧にしたデシケーターに封入し、時間を追って濃度の測定を行なった。結果は図４に示した。
アンモニアの初期濃度は約３５ｍｇ／Ｌであったが、２分後には３．５ｍｇ／Ｌまで低下し、４分後以降にはほぼ０まで低下した。アンモニアに対しても効果的に触媒が機能したことが判明した。
［図４］【００１７】［アルデヒド類］
−ＣＨＯ（アルデヒド基）を持つ有機化合物の総称であるが、多くの生物に有害である。生物の構成成分であるアミノ酸のアミノ基と結合し、架橋反応するためタンパク質を凝固させてしまう。従って多くの反応を引き起こし、有害さが多様である。アセトアルデヒドは悪臭成分のひとつであり、人体内ではアルコール摂取で生じ、肝臓にあるアセトアルデヒド脱水酵素の活性が弱い場合には、強い中毒症状を引き起こす場合がある。また低級アルデヒドには強い刺激臭がある。
除去実験にはアセトアルデヒドを用いて行なった。アセトアルデヒドを密閉袋（４Ｌ）に１００μＬ採り、室温で完全に気化させた。このガスを使い捨て注射器で１００ｍＬ採り、脱気したデシケーターに入れ、さらに空気を導入して大気圧に戻した。デシケーターには触媒フィルターを設置し、ファンでガスを循環させ、経時的にアセトアルデヒドの濃度を検知管で測定した。結果は図５に示してある。
ガスのデシケーターからの漏れは無く、この条件下でアセトアルデヒドは１時間で７％まで低下した。その後放置しておくと、１２時間後には全く検出されなくなった。触媒フィルターのアセトアルデヒドへの効果が確認された。
［図５］【００１８】  同様の実験をホルムアルデヒドについても行なった。
ホルムアルデヒドもアンモニアと同様、１００μＬのホルムアルデヒド溶液（３７％）を密閉袋に入れ、エアポンプで空気を４Ｌ入れて膨らまし、常温で気化させたものを用いた。袋をＮＯおよびＮＯ２と同様に陰圧にしたデシケーターに封入し、時間を追って濃度の測定を行なった。結果は図６に示した。
アンモニアとは異なり、濃度の低下速度はやや遅かったが、１時間後には最初の１．７％まで低下した。ホルムアルデヒドに対しても、効果的に触媒が機能したことが判明した。ホルムアルデヒドは建材の接着剤として用いられて来たため、シックハウス症候群の原因であると言われている。健康被害が出る濃度はこの実験で用いた量と比べ、遥かに薄いので、実用的にフィルターをこの除去に用いることが可能であると示された。
また、有害な他の多くのアルデヒドについても、構造的な作用機作を考えると有効であると思われる。
［図６］【００１９】［メチルメルカプタン］
メチルメルカプタンすなわちメタンチオールは化学式ＣＨ３ＳＨで表わせるチオールの一種であり、腐ったキャベツの臭いがする無色の気体である。天然には、ある種の種子やチーズなどにも検出され、ヒトや動物の血液、脳およびその他の組織に含まれ、糞に放出される。このため、口臭や屁の悪臭成分となっている。
メチルメルカプタンは、１００μＬのメチルメルカプタンナトリウム溶液（１５％）を密閉袋に入れ、エアポンプで空気を４Ｌ入れて膨らまし、常温で気化させたものを用いた。袋をＮＯおよびＮＯ２と同様に陰圧にしたデシケーターに封入し、時間を追って濃度の測定を行なった。結果は図７に示した。
除去パターンはＣＯ、アンモニアとは異なり、直線に近い低下を示した。初期濃度６２ｍｇ／Ｌが一時間で６ｍｇ／Ｌとなり、９０％が除去された。従って、メチルメルカプタンにも効果的に触媒が機能したことが示された。
［図７］【００２０】［イソ吉草酸］
ＣＨ３（ＣＨ２）３ＣＯＯＨで示されるカルボン酸である。足の裏の臭い、蒸れた靴下からの刺激臭である。また、口臭の原因となる。バクテリアによる腐敗の過程で発生する。人体へは腐食性がある。
イソ吉草酸を密閉袋（４Ｌ）に１００μＬ採り、完全に気化させた。このガスを使い捨て注射器（５０ｍＬ）で１００ｍＬ採り、脱気したデシケーターに入れ、残りに空気を導入して大気圧に戻した。デシケーターには触媒フィルターを設置し、ファンでガスを循環させ、経時的にイソ吉草酸の濃度を検知管で測定した。結果は図８に示してある。
イソ吉草酸の低下パターンはメチルメルカプタンと同様であったが、低下速度はやや遅く、初期濃度３８ｍｇ／Ｌが２ｍｇ／Ｌになるのに約２時間掛かった。しかし、触媒は効果的に機能することが示された。
［図８］【００２１】［酢酸］
アルコールが発酵すると酢酸（ＣＨ３ＣＯＯＨ）が生じる。食酢として利用されているが刺激性が強い。発生源は有機物の発酵するようなところ、生ゴミの他、煙草煙にも含まれる。
酢酸を密閉袋（４Ｌ）に１００μＬ採り、完全に蒸発させた。このガスをシリンジで１００ｍＬ採り、脱気したデシケーターに入れ、残りに空気を導入して大気圧に戻した。デシケーターには触媒フィルターを設置し、ファンでガスを循環させ、経時的に酢酸の濃度を検知管で測定した。結果は図９に示してある。
２時間で始めの１３％となり、４時間で６％まで低下した。２４時間放置すると測定不能、すなわち０ｍｇ／Ｌとなった。触媒フィルターはケト酸にも効果的であることが判明した。
［図９］
【発明の効果】
【００２２】  本発明の触媒は、室温で様々な有害ガスあるいは悪臭ガスを分解除去することが出来る。また活性炭素繊維は可塑性に富み、あらゆる形状のフィルターとして加工が容易であり、広い用途に適用が可能である。例えば、活性炭素繊維を用いてマスク状に製造すると、防災マスクとして利用出来る。また、少ない量の貴金属を利用するため、安価であり、さらに汎用性を高める。
【図面の簡単な説明】
【００２３】
【図１】歯冠を硝酸と塩酸で溶解させた液から製造した触媒の一酸化炭素への効果  ２種類の方法で製造した触媒の一酸化炭素に対する効果を比較した結果を示す図である。
【図２】試薬で調製した触媒の一酸化炭素に対する効果  塩化パラジウムおよび硫酸銅で製造した触媒の一酸化炭素に対する効果を示した図である。
【図３】酸化窒素への効果  触媒の酸化窒素（ＮＯ、ＮＯ２）に対する効果を測定した結果を示す図である。
【図４】アンモニアへの効果  触媒のアンモニア（ＮＨ３）に対する効果を測定した結果を示す図である。
【図５】アセトアルデヒドへの効果  触媒のアセトアルデヒドに対する効果を測定した結果を示す図である。
【図６】ホルムアルデヒドへの効果  触媒のホルムアルデヒドに対する効果を測定した結果を示す図である。
【図７】メチルメルカプタンへの効果  触媒のメチルメルカプタンに対する効果を測定した結果を示す図である。
【図８】イソ吉草酸  触媒のイソ吉草酸に対する効果を測定した結果を示す図である。
【図９】酢酸への効果  触媒の酢酸に対する効果を測定した結果を示す図である。
【表１】
パラジウムと銅の量比変化と一酸化炭素への活性  パラジウムと銅の量比を変化させた時の触媒の活性をＣＯの除去率で調べた結果である。
【符合の説明】
【図１】
横軸は時間（分）を、縦軸は一酸化炭素濃度（ｍｇ／Ｌ）を表わし、
2020040057.tif 000004
させて製造した触媒をそれぞれ表わす。
【図２】
横軸は時間（分）を、縦軸は一酸化炭素濃度（ｍｇ／Ｌ）を表わす。
2020040057.tif 000005
【図５】
横軸は時間（分）を、縦軸はアンモニア濃度（ｍｇ／Ｌ）を示す。
【図６】
横軸は時間（分）を、縦軸はアセトアルデヒド濃度（ｍｇ／Ｌ）を示す。
【図７】
横軸は時間（分）を、縦軸はホルムアルデヒド濃度（ｍｇ／Ｌ）を示す。
【図８】
横軸は時間（分）を、縦軸はメチルメルカプタン濃度（ｍｇ／Ｌ）を示す。
【図９】
横軸は時間（時）を、縦軸はイソ吉草酸濃度（ｍｇ／Ｌ）を示す。
【図１０】
横軸は時間（時）を、縦軸は酢酸濃度（ｍｇ／Ｌ）を示す。
【図１】
2020040057.tif 000006
【図２】
2020040057.tif 000007
【図３】
2020040057.tif 000008
【図４】
2020040057.tif 000009
【図５】
2020040057.tif 000010
【図６】
2020040057.tif 000011
【図７】
2020040057.tif 000012
【図８】
2020040057.tif 000013
【図９】
2020040057.tif 000014